(57)【要約】  【課題】  防災情報に対し月々の情報料が発生すると、その情報をうけようとするユーザが減り、ユーザーが減ると災害時に防災情報を受信する機会が減り、被害の増大につながる。  【解決手段】  情報受信機能付き印刷装置１２を使用するユーザー１１は、情報配信会社１３からインターネット１４を経由して、顧客に有意義な情報を受信する。そして、情報受信機能付き印刷装置１２の機器保守は、ユーザー１１が保守締結会社１７と機器保守契約を行う。また、保守実施会社は、ユーザー１１の使用する情報受信機能付き印刷装置１２に対し、保守を実施する。従って、ユーザー１１は保守締結回収会社（１７に対し、機器の保守費用を支払う。そして、保守締結回収会社１７はその利益を差し引いた金額から、機器の保守料金を保守実施会社１６、情報料を情報配信会社１３に支払う。【選択図】        図１
2006323748.tif 000002
【特許請求の範囲】
【請求項１】
インターネットを利用した情報システムであって、情報受信機能を含む機器保守契約を有することを特徴とする情報受信機能付き印刷装置の管理システム。
【請求項２】
インターネットを利用した情報システムであって、前記情報受信システムが複数台あり、インターネットおよびＬＡＮに接続していることを特徴とする請求項１に記載の情報受信機能付き印刷装置の管理システム。
【請求項３】
インターネットを利用した情報システムであって、前記機器保守契約する機器が複写機、ＦＡＸおよびプリンターであることを特徴とする請求項１乃至２に記載の情報受信機能付き印刷装置の管理システム。
【請求項４】
インターネットを利用した情報システムであって、前記情報受信機能の情報料を含む前記機器保守契約の保守代金であることを特徴とする請求項１乃至３に記載の情報受信機能付き印刷装置の管理システム。
【発明の詳細な説明】
【技術分野】
【０００１】
防災情報等を、予め定められた多数の者に、ＬＡＮ・インターネット接続によって配信し、機器の保守・管理を行う情報受信機能付き印刷装置の管理システムに関する。
【背景技術】
【０００２】
データ通信装置および通信回線を使用した画像形成装置の、保守契約管理システムが提案されている。また、ビル保守契約に関連したエレベータの遠隔監視端末も提案されている。
【０００３】
【特許文献１】特願Ｈ０９−３５２８８９号公報
【特許文献２】特願Ｈ１０−２７０９２４号公報
【発明の開示】
【発明が解決しようとする課題】
【０００４】
防災情報の場合、防災情報等は必要とする時は希であり、この情報に対し月々の情報料が発生すると、その情報をうけようとするユーザが減る。従って、ユーザーが減ると災害時に防災情報を受信する機会が減り、被害の増大につながる。
本発明では、これらの問題を解決する方法を提示する。
【課題を解決するための手段】
【０００５】
情報通信機能を有し、ハードウェアーの保守契約が必要とする機器に対し、機器の保守契約料の中で、ユーザに有効な情報を配信するビジネスを提案する。
そして、課題を解決するための手段は、特許請求の範囲に記載するように構成している。すなわち、
本発明は、請求項１に記載のように、インターネットを利用した情報システムであって、情報受信機能を含む機器保守契約を有することを特徴とする情報受信機能付き印刷装置の管理システムを構成する。
また、本発明は、請求項２に記載のように、インターネットを利用した情報システムであって、前記情報受信システムが複数台あり、インターネットおよびＬＡＮに接続していることを特徴とする請求項１に記載の情報受信機能付き印刷装置の管理システムを構成する。
また、本発明は、請求項３に記載のように、インターネットを利用した情報システムであって、前記機器保守契約する機器が複写機、ＦＡＸおよびプリンターであることを特徴とする請求項１乃至２に記載の情報受信機能付き印刷装置の管理システムを構成する。
また、本発明は、請求項４に記載のように、インターネットを利用した情報システムであって、前記情報受信機能の情報料を含む前記機器保守契約の保守代金であることを特徴とする請求項１乃至３に記載の情報受信機能付き印刷装置の管理システムを構成する。
【発明の効果】
【０００６】
ユーザーは、見かけ上の情報料が無料のため、簡単に情報を得る契約をすることができる。また、ユーザーはハードウェアーの保守費用のみで、一般的には情報料を必要とする情報がタイムリーに入手できる。そして、気象情報、株価情報、市況情報の場合は、ユーザにとって有償の情報が無償で得られるため、容易にその情報を受けられる。
【０００７】
本発明に係る情報受信機能付き印刷装置の管理システムによって得られる効果を請求項ごとに説明する。
【０００８】
まず、請求項１の発明においては、ユーザーは必要な機器保守契約によって、有意義な情報を無償で受信できるので、安全で安心な情報受信機能付き印刷装置の管理システムを得ることが可能となる。
【０００９】
また、請求項２の発明においては、外部および内部からの防災情報を常時受信が可能な情報受信機能付き印刷装置が実現する。
【００１０】
また、請求項３の発明においては、防災情報受信機能付き印刷装置は、防災、防犯および緊急地震速報を低価格で受信することができる。
【００１１】
また、請求項４の発明においては、ユーザーは、見かけ上の情報料が無料のため、簡単に情報を得る契約をすることができる。
が実行できる。
【発明を実施するための最良の形態】
【００１２】
以下、実施例1〜３によって、本発明を説明する。
【実施例１】
【００１３】
図１は、本発明に係わるＬＡＮ・インターネット接続を用いた情報受信機能付き印刷装置の管理システムの説明図である。図１に示すように、情報受信機能付き印刷装置１２を使用するユーザー１１は、情報配信会社１３からインターネット１４を経由して、顧客に有意義な情報を受信する。そして、情報受信機能付き印刷装置１２の機器保守は、ユーザー１１が保守締結会社（保守代金回収会社）１７と機器保守契約を行う。また、保守実施会社は、ユーザー１１の使用する情報受信機能付き印刷装置１２に対し、保守を実施する。従って、ユーザー１１は保守締結回収会社（保守代金回収会社）１７に対し、機器の保守費用を支払う。そして、保守締結回収会社（保守代金回収会社）１７はその利益を差し引いた金額から、機器の保守料金を保守実施会社１６、情報料を情報配信会社１３に支払う。この結果、ユーザー１１は機器保守契約を行うことによって、機器の無償情報配信を受信することが可能となる。
【００１４】
以上説明したように、ユーザーは必要な機器保守契約によって、有意義な情報を無償で受信できるので、安全で安心な情報受信機能付き印刷装置の管理システムを得ることが可能となる。
【実施例２】
【００１５】
図２は、本発明に係わるＬＡＮ・インターネット接続を用いた情報受信機能付き印刷装置の管理システムの構成図である。図２に示すように、ユーザーに有効な情報としては、地震等の防災情報２０、気象情報２１、株価情報２２および市況情報２３等がある。これらの情報を配信サーバ２４に集約して、インターネット１４に接続する。ユーザーの使用する情報受信機能付き印刷装置２６は、インターネット１４を経由して防災情報２０、気象情報２１、株価情報２２および市況情報２３等の情報を受信する。そして、必要な警報２８として、ランプに表示、ブザーあるいは音声およびプリントに出力する。
【００１６】
また、情報受信機能付き印刷装置２６をＬＡＮ１５に接続すれば、複数の情報受信機能付き印刷装置２７に情報を配信することが可能となる。また、事業所内に設置してある火災・防犯センサー２５からの情報は、ＬＡＮ１５を経由して情報受信機能付き印刷装置２７に情報を配信することができる。
【００１７】
以上説明したように、外部および内部からの防災情報を常時受信が可能な情報受信機能付き印刷装置が実現する。
【実施例３】
【００１８】
図３は、本発明に係わるＬＡＮ・インターネット接続を用いた防災情報受信機能付き印刷装置の構成図である。図３に示すように、防災情報受信機能付き印刷装置２６は、防災情報受信装置３２によって、火災・防犯センサー２５からの防災情報を受信する機能がある。
【００１９】
また、ネットワーク接続部３３によって、インターネット１４および、ＬＡＮ１５と接続する。さらに、防災情報受信機能付き印刷装置２６は、ＣＰＵ３１およびＦＡＸ機能部（複写機能部）３４によって制御する。そして、スキャナ部３５によって、防災関連資料のデジタル化が可能である。
【００２０】
さらに、防災情報受信機能付き印刷装置６は、警報装置９を内蔵して、プリンタ部３６によるプリントアウト、ブザー３７、ランプ３８および、表示部３９によって、防災情報を出力する。以上、説明した構成によって、防災情報を受信する機能を有した多機能プリンタは、防災情報を受信するとブザー鳴動・ランプ点滅が開始し、表示部には詳細情報が表示される。また、メール・ＦＡＸ・複写機等で情報を転送することができる。
【００２１】
そして、ロギングデータメモリ４１によって、必要に応じ、警報内容、履歴データを印刷することが出来る。
【００２２】
また、防災情報受信機能付き印刷装置１６は、ＬＡＮ１５のサーバー機能を使って、クライアントの防災情報受信機能付き印刷装置１０に防災情報を送信する。
【００２３】
さらに、対応マニュアルデータベース４２は、受信した防災情報によって、あらかじめ行動マニュアルを設定してあり、適正なプリントを出力する。
【００２４】
以上説明したように、防災情報受信機能付き印刷装置は、低価格で受信することができる。
【００２５】
また、本実施例は、防災、防犯および緊急地震速報について説明したが、本発明は、任意の防災情報に適用可能である。
【００２６】
そして、防災情報受信機能付き印刷装置は、主にＦＡＸについて説明したが、複写機およびプリンタについても適用可能である。
【図面の簡単な説明】
【００２７】
【図１】本発明に係わるＬＡＮ・インターネット接続を用いた防災情報受信機能付き印刷装置の構成図である。
【図２】プロバイダのサーバ３の構成図である。
【図３】本発明に係わるＬＡＮ・インターネット接続を用いた防災情報受信機能付き印刷装置の構成図である。
【符号の説明】
【００２８】
１１  ユーザー
１２  情報受信機能付き印刷装置
１３  情報配信会社
１４  インターネット
１５  ＬＡＮ
１６  保守実施会社
１７  保守締結会社（保守代金回収会社）
２０  防災情報
２１  気象情報
２２  株価情報
２３  市況情報
２４  配信サーバ
２５  火災・防犯センサー
２６  情報受信機能付き印刷装置
２７  情報受信機能付き印刷装置
２８  警報
３１  ＣＰＵ
３２  防災情報受信装置
３３  ネットワーク接続部
３４  ＦＡＸ機能部（複写機能部）
３６  プリンタ部
３７  ブザー
３８  ランプ
３９  表示部
４１  ロギングデータメモリ
４２  コピー機能
【図１】
2006323748.tif 000003
【図２】
2006323748.tif 000004
【図３】
2006323748.tif 000005